(57)【要約】【課題】原稿両面のそれぞれの傾き等を検出する処理の高速化を図ることができる画像読取装置を提供する。【解決手段】画像読取装置は、原稿の両面をそれぞれ画像として読み取る。画像読取装置は、原稿の第１面を第１画像として取得する受光部と、原稿の第２面を第２画像として取得する受光部と、第１画像からデータ量を減らした第１検査画像ＤＡ２を生成する画像処理回路４１と、第２画像からデータ量を減らした第２検査画像ＤＢ２を生成する画像処理回路５１と、原稿の傾き及び大きさの少なくとも一方を、第１検査画像ＤＡ２と第２検査画像ＤＢ２とからそれぞれ算出する角度・サイズ検出回路４２とを備える。【選択図】図５
2016163093.tif 000002
【特許請求の範囲】
【請求項１】
原稿の両面をそれぞれ画像として読み取ることができる画像読取装置であって、
前記原稿の第１面を第１画像として取得する第１取得部と、
前記原稿の第２面を第２画像として取得する第２取得部と、
前記第１画像からデータ量を減らした第１検査画像を生成する第１生成部と、
前記第２画像からデータ量を減らした第２検査画像を生成する第２生成部と、
前記原稿の傾き及び大きさの少なくとも一方を、前記第１検査画像と前記第２検査画像とからそれぞれ算出する算出部とを備える
ことを特徴とする画像読取装置。
【請求項２】
前記第１生成部はさらに、前記第２画像からデータ量を減らした第２検査画像を生成することが可能に構成され、
前記第２生成部はさらに、その使用と不使用とが切り替え可能に構成されており、
前記第１生成部は、前記第２生成部が不使用に切り替えられることに応じて前記第１検査画像を生成することに加えて前記第２検査画像を生成する
ことを特徴とする請求項１に記載の画像読取装置。
【請求項３】
前記第１生成部及び前記第２生成部は、データ密度を減らすことでデータ量を減らすものである
ことを特徴とする請求項１又は２に記載の画像読取装置。
【請求項４】
前記算出部を第１算出部とするとき、前記第２検査画像から前記原稿の傾き及び大きさの少なくとも一方を算出する第２算出部を更に備え、
前記第１算出部には前記第１検査画像から前記原稿の傾き及び大きさの少なくとも一方を算出させるとともに、前記第２算出部には前記第２検査画像から前記原稿の傾き及び大きさの少なくとも一方を算出させる第１の算出モードと、
前記第１算出部には前記第１検査画像及び前記第２検査画像からそれぞれ前記原稿の傾き及び大きさの少なくとも一方を算出させるとともに、前記第２算出部の消費電力を低減させる第２の算出モードとを切り替え可能に構成される
ことを特徴とする請求項１〜３のいずれか一項に記載の画像読取装置。
【請求項５】
前記第２生成部が使用されるとき、前記第１の算出モードに切り替えられ、かつ、
前記第２生成部が使用されないとき、前記第２の算出モードに切り替えられる切り替え部をさらに備える
ことを特徴とする請求項４に記載の画像読取装置。
【請求項６】
前記第１算出部と前記第２算出部とはいずれも、回路によって構成される
ことを特徴とする請求項４又は５に記載の画像読取装置。
【請求項７】
前記第１生成部と前記第２生成部とはいずれも、回路によって構成される
ことを特徴とする請求項１〜６のいずれか一項に記載の画像読取装置。
【発明の詳細な説明】
【技術分野】
【０００１】
本発明は、取得した画像信号から原稿の傾きを検出する画像読取装置に関する。
【背景技術】
【０００２】
従来より、画像が読み取とられる原稿などの対象物の傾きを検出し、その検出した傾きに応じて読み取った画像の角度を補正する画像読取装置が知られている。例えば、こうした装置の一例として、自動原稿送り手段付きスキャナーは、原稿などの対象物の物理的な傾きを検出するスキューセンサーを備える。そして、対象物が画像読取部に送り込まれる際、その対象物がスキューセンサーを横切るようにしている。スキューセンサーは、対象物が横切ったときの光電変換器からの出力を制御部に出力する。制御部は、スキューセンサーからの出力に基づいて画像読取部に対する対象物の物理的な傾き（スキュー角）を算出する（特許文献１参照）。
【先行技術文献】
【特許文献】
【０００３】
【特許文献１】特開２００８−１８７３１３号公報
【発明の概要】
【発明が解決しようとする課題】
【０００４】
特許文献１に記載の技術などによれば、原稿などのスキュー角が算出されることで、当該スキュー角に基づいて原稿などの傾きが補正されるようになる。
ところで、原稿の傾きは原稿毎に補正する必要があることから、原稿のスキュー角は原稿毎に算出することとなる。つまり原稿の両面を読み取る両面スキャンの場合、同じ原稿の表裏の２面のそれぞれについてスキュー角を算出して傾きを補正することとなる。そして、近年では、原稿の両面を読み取ることに際し、処理の高速化が求められてきている。
【０００５】
本発明は、このような実情に鑑みてなされたものであり、その目的は、原稿両面のそれぞれの傾き等を検出する処理の高速化を図ることができる画像読取装置を提供することにある。
【課題を解決するための手段】
【０００６】
以下、上記課題を解決するための手段及びその作用効果について記載する。
上記課題を解決する画像読取装置は、原稿の両面をそれぞれ画像として読み取ることができる画像読取装置であって、前記原稿の第１面を第１画像として取得する第１取得部と、前記原稿の第２面を第２画像として取得する第２取得部と、前記第１画像からデータ量を減らした第１検査画像を生成する第１生成部と、前記第２画像からデータ量を減らした第２検査画像を生成する第２生成部と、前記原稿の傾き及び大きさの少なくとも一方を、前記第１検査画像と前記第２検査画像とからそれぞれ算出する算出部とを備える。
【０００７】
この構成によるように、原稿から画像を取得する取得部が２つ設けられ、取得された画像から検査画像を生成する生成部が２つ設けられる。そのため、原稿両面の読み取りに際し、第１及び第２検査画像の生成に要する時間の短縮が図られる。
【０００８】
上記画像読取装置において、前記第１生成部はさらに、前記第２画像からデータ量を減らした第２検査画像を生成することが可能に構成され、前記第２生成部はさらに、その使用と不使用とが切り替え可能に構成されており、前記第１生成部は、前記第２生成部が不使用に切り替えられることに応じて前記第１検査画像を生成することに加えて前記第２検査画像を生成することが好ましい。
【０００９】
このような構成によれば、検査画像の生成を第１生成部に集約させることができるようにもなる。よって、電力消費の低減が図られる態様で、原稿の傾き及び大きさの少なくとも一方を算出することができるようにもなる。
【００１０】
上記画像読取装置において、前記第１生成部及び前記第２生成部は、データ密度を減らすことでデータ量を減らすものであることが好ましい。
このような構成によれば、データ密度を減らすこと、いわゆる、画像の解像度を低下させることにより検査画像のデータ量が減らされる。これにより、算出部での算出負荷の低減、処理時間の短縮が図られるようになる。
【００１１】
上記画像読取装置において、前記算出部を第１算出部とするとき、前記第２検査画像から前記原稿の傾き及び大きさの少なくとも一方を算出する第２算出部を更に備え、前記第１算出部には前記第１検査画像から前記原稿の傾き及び大きさの少なくとも一方を算出させるとともに、前記第２算出部には前記第２検査画像から前記原稿の傾き及び大きさの少なくとも一方を算出させる第１の算出モードと、前記第１算出部には前記第１検査画像及び前記第２検査画像からそれぞれ前記原稿の傾き及び大きさの少なくとも一方を算出させるとともに、前記第２算出部の消費電力を低減させる第２の算出モードとを切り替え可能に構成されることが好ましい。
【００１２】
このような構成によれば、２つの生成部と２つの算出部とからなる構成を、画像読取装置の読み取りモードに適した態様で利用することができるようになる。第１算出部と第２算出部とによりそれぞれの原稿の傾きなどの算出を並列処理させることで２つの処理が高速に行われるようになることから、例えば、高速読取りモードなどに対応できる。また、原稿の傾き等の算出を第１算出部のみに行わせ、第２算出部へは電力を供給しないなどして電力消費を低減させることから、例えば、電力消費が抑えられる省電力モードなどに対応できる。
【００１３】
上記画像読取装置において、前記第２生成部が使用されるとき、前記第１の算出モードに切り替えられ、かつ、前記第２生成部が使用されないとき、前記第２の算出モードに切り替えられる切り替え部をさらに備えることが好ましい。
【００１４】
このような構成によれば、第２生成部が使用されるか否かに応じて、第１の算出モード（第１及び第２算出部を使用する）と、第２の算出モード（第１算出部のみを使用する）とが併せて切り替えられることで、第２生成部を使用するときには処理が一層高速化されるようになる。一方、第２生成部を使用しないときには消費電力が一層低減されるようになる。
【００１５】
上記画像読取装置において、前記第１算出部と前記第２算出部とはいずれも、回路によって構成されることが好ましい。
傾きの算出には三角関数などの複数の関数処理が必要とされるが、この構成によるように、第１算出部や第２算出部がカスタムＩＣやＰＬＤなどにおける論理回路として構成されることで、プログラム処理などよりも高速な処理ができるようになる。これにより、算出部を要因として読み取り速度が規制されるおそれが低減されるようになる。
【００１６】
上記画像読取装置において、前記第１生成部と前記第２生成部とはいずれも、回路によって構成されることが好ましい。
このような構成によれば、第１生成部や第２生成部がカスタムＩＣやＰＬＤなどにおける論理回路として構成されることで、プログラム処理などよりも高速に信号を処理することができる。これにより、第１生成部や第２生成部を要因として読み取り速度が規制されるおそれが低減されるようになる。
【図面の簡単な説明】
【００１７】
【図１】第１の実施形態の画像読取装置の概略構成を模式的に示す模式図。
【図２】第１の実施形態の画像読取装置の電気的構成を示すブロック図。
【図３】第１の実施形態の画像読取装置で原稿の傾き態様を平面で示す平面図。
【図４】第１の実施形態の画像処理装置で画像の角度とサイズを検出する回路の概略構成を示す模式図。
【図５】第１の実施形態の画像処理装置で画像の角度とサイズを検出する回路の概略構成を示す模式図。
【図６】第２の実施形態の画像読取装置の概略構成を模式的に示す模式図。
【図７】第２の実施形態の画像読取装置の動作を説明する模式図。
【図８】第２の実施形態の画像読取装置の動作を説明する模式図。
【発明を実施するための形態】
【００１８】
以下、画像読取装置の実施形態について、図を参照して説明する。
画像読取装置は、原稿搬送部（ＡＤＦ装置）を備え、その原稿搬送部により２つの読取部の間を搬送される例えば用紙などの対象物の両面の画像を各読取部がそれぞれ読み取る装置、いわゆる両面スキャナーである。
【００１９】
（第１の実施形態）
図１に示すように、画像読取装置１０は、原稿搬送部（図示略）により対象物としての原稿Ｐが第１の読取部２２Ａと第２の読取部２２Ｂとの間を例えば矢印の方向に搬送される。原稿Ｐは、シート状であり、その一方の面として第１面Ｆ１を備え、他方の面として第２面Ｆ２を備える。すなわち、原稿Ｐは、その両面として第１面Ｆ１及び第２面Ｆ２を備える。また原稿Ｐは、図１の矢印の方向Ｘに所定の長さ（原稿長）を有し、図１の紙面に垂直な方向に所定の幅（原稿幅）を有している。画像読取装置１０では、第１の読取部２２Ａは、原稿Ｐの第１面Ｆ１に対向する側に配置され、第２の読取部２２Ｂは、原稿Ｐの第２面Ｆ２に対向する側に配置される。つまり、原稿搬送部は、原稿Ｐの第１面Ｆ１が第１の読取部２２Ａに対向し、原稿Ｐの第２面Ｆ２が第２の読取部２２Ｂに対向するように原稿Ｐを搬送する。各読取部２２Ａ，２２Ｂは、原稿幅の方向に原稿Ｐの両端に達する長さを有し、その幅方向を長手方向としている。よって、各読取部２２Ａ，２２Ｂは、それらの間を原稿Ｐが原稿長の方向（矢印Ｘの方向）に移動することに応じて、当該原稿Ｐの両面をそれぞれ原稿幅で読み取るようになる。
【００２０】
第１の読取部２２Ａには、原稿Ｐの第１面Ｆ１に原稿幅の方向に亘って光を照射する光源２８Ａと、原稿Ｐの第１面Ｆ１によって反射された光を原稿幅の方向に亘って受光する第１取得部としての受光部２９Ａとが搭載されている。光源２８Ａは、ＬＥＤなどの発光源を有し構成されている。光源２８Ａは、発光源からの光を導光する構成を有してもよい。受光部２９Ａは、原稿幅の方向に配列される複数のセンサー（図示略）を備える。センサーは、いわゆる光電変換素子などのチップを含み構成される。センサーは反射光の強度に応じた画像信号を出力する。受光部２９Ａにおいて、１つのセンサーは１つの画素に対応する画素信号を出力し、原稿幅の方向に１列に配列される複数のセンサーの各画素信号によって原稿幅の方向に１列分の画像信号が構成される。また、本実施形態は、単色読み取りであることから、読取部２２Ａは、原稿長さの方向には、センサーが１列配置される。
【００２１】
第２の読取部２２Ｂには、原稿Ｐの第２面Ｆ２に原稿幅の方向に亘って光を照射する第２取得部としての光源２８Ｂと、原稿Ｐの第２面Ｆ２によって反射された光を原稿幅の方向に亘って受光する受光部２９Ｂとが搭載されている。なお、第２の読取部２２Ｂの光源２８Ｂ及び受光部２９Ｂはそれぞれ、第１の読取部２２Ａの光源２８Ａ及び受光部２９Ａと同様の構造を有することから、説明の便宜上、それらの詳細な説明は割愛する。
【００２２】
図２に示すように、画像読取装置１０は、画像読取装置１０の制御を行う制御部３１を備えている。制御部３１は、画像読取装置１０を操作するための例えばボタンなどの操作部１５から入力された情報に基づいて原稿搬送部のモーター２７や第１及び第２の読取部２２Ａ，２２Ｂなどを制御する。これにより、制御部３１は、第１及び第２の読取部２２Ａ，２２Ｂの間を搬送させた原稿Ｐの両面の各画像に対応する出力画像をそれぞれ生成する。
【００２３】
制御部３１は、ＣＰＵなどを含む演算部や各種の記憶部を備える処理装置として構成されている。制御部３１は、操作部１５から取得した情報に基づいて各読取部２２Ａ，２２Ｂなどを制御する読取制御部３２と、モーター２７を制御するモーター制御部３８とを備えている。また、制御部３１は、第１の読取部２２Ａの受光部２９Ａから出力された画像信号に処理を行う第１のＡＦＥ（アナログフロントエンド）３３Ａと、第２の読取部２２Ｂの受光部２９Ｂから出力された画像信号に処理を行う第２のＡＦＥ３３Ｂとを備えている。また、制御部３１は、第１及び第２のＡＦＥ３３Ａ，３３Ｂから出力された各画像信号に基づいて原稿Ｐの両面の各出力画像をそれぞれ生成する画像生成部３４を備えている。そして、制御部３１は、画像生成部３４で生成した両面の各出力画像を、出力部３５を介してパーソナルコンピューターなどのホスト装置３６に出力させる。さらに、制御部３１は、タイマー３７を備えている。タイマー３７は、読取制御部３２、各読取部２２Ａ，２２Ｂ、各ＡＦＥ３３Ａ，３３Ｂ、画像生成部３４で利用される制御信号を生成する。
【００２４】
読取制御部３２は、操作部１５から取得した情報に基づいて各読取部２２Ａ，２２Ｂ、モーター制御部３８、各ＡＦＥ３３Ａ，３３Ｂ、及び画像生成部３４を制御することで、原稿Ｐの画像の読み取りを可能としている。また、読取制御部３２は、各受光部２９Ａ，２９Ｂや各ＡＦＥ３３Ａ，３３Ｂに与える同期信号などのタイミングを生成する。つまり、読取制御部３２は、各光源２８Ａ，２８Ｂの点灯及び消灯を制御するとともに、各受光部２９Ａ，２９Ｂが受光した信号をそれぞれ対応するＡＦＥ３３Ａ，３３Ｂへ転送するタイミングの制御も行う。
【００２５】
第１のＡＦＥ３３Ａは、所定のＩＣ（アナログフロントエンドＩＣ）によって構成され、入力されたアナログの画像信号を設定されたゲインで増減させるゲイン調整や、アナログの画像信号をサンプルホールドによりデジタルの画像信号に変換するＡ／Ｄ変換を行う。また、第１のＡＦＥ３３Ａは、受光部２９Ａからパラレルに出力されたアナログの画像信号を、シリアル化されたデジタル信号として出力する。なお、第１のＡＦＥ３３Ａは、読取部２２Ａに搭載された基板（図示略）に実装されていてもよい。第２のＡＦＥ３３Ｂは、第１のＡＦＥ３３Ａと同様の構成を有するＡＦＥであることから、説明の便宜上、詳細な説明は割愛する。
【００２６】
画像生成部３４は、各ＡＦＥ３３Ａ，３３Ｂから出力される画像信号をそれぞれ所定のタイミングで取り込む。画像生成部３４は、取り込んだ各画像信号にそれぞれ各種の処理を施すことで各画像信号に対応する画像データをそれぞれ生成し、これら生成した画像データから出力部３５へ出力する出力画像をそれぞれ生成する。
【００２７】
図３に示すように、画像生成部３４では、画像信号から生成された原稿Ｐの画像データＤＡ１の各画素を画像処理領域Ｄｍａｘに配置させる。詳述すると、画像処理領域Ｄｍａｘは、受光部２９Ａ，２９Ｂの複数のセンサーが同タイミングで読み取った画像信号を横一列に並べた態様に対応している。そこで、原稿Ｐが受光部２９Ａ，２９Ｂの長手方向に直交するように搬送されれば、原稿Ｐの原稿幅方向が同じタイミングで読み取られることとなるため、原稿Ｐの縦横の向きと、画像処理領域Ｄｍａｘに配置された画像データの縦横の向きとは一致し、角度θは略「０」となる。
【００２８】
ところで、原稿Ｐは、搬送装置によって機械的に搬送されるとき、受光部２９Ａ，２９Ｂの長手方向に直交する方向に対して傾き例えば角度θを有して搬送されることも少なくない。こうした傾きは、搬送装置の搬送ローラー表面の状態や、原稿の位置を規定するガイドや、原稿Ｐの紙面の状態などを要因に原稿毎に異なる態様で生じるおそれがある。つまり、原稿Ｐが受光部２９Ａ，２９Ｂの長手方向に直交しないかたちで搬送されると、原稿Ｐのなかで原稿幅方向に延びる部分が読み取られるタイミングにずれが生じる。そして、この生じたタイミングのずれが、読み取られる原稿Ｐの画像信号に基づき作成される各画像データＤＡ１，ＤＢ１の縦横の向きと、画像処理領域Ｄｍａｘの縦横の向きとの不一致を生じさせ、角度θに「０」からのずれを生じさせるようになる。例えば、受光部２９Ａを通じて傾いて取得された画像信号から生成された原稿Ｐの第１面Ｆ１の画像データＤＡ１は、その画像データＤＡ１を構成する各画素が画像処理領域Ｄｍａｘに対して所定の角度θで配置されることとなる。そして、このような傾きが維持されたまま画像データＤＡ１，ＤＢ１から出力画像が生成されて出力されることとなる。よって、出力画像は、出力先が表示装置であれば角度θだけ傾いて表示されることとなり、出力先が用紙であれば角度θだけ傾いて印刷されることとなる。なお、こうして生じる傾きは、それほど大きな傾きではなく、角度としては２５°以下であるものとする。
【００２９】
また、画像処理領域Ｄｍａｘに対して傾いている画像データＤＡ１，ＤＢ１は、画像処理領域Ｄｍａｘの縦横に沿ってサイズが検出されると、傾きを要因として本来の大きさより突出する角部の影響でサイズの検出精度が低下するおそれがある。
【００３０】
そこで、画像生成部３４は、読み込んだ画像信号に施す処理の１つとして、生成された原稿Ｐの各画像データＤＡ１，ＤＢ１の傾きを調整する処理を行う。
画像生成部３４では、大きくは、読み込んだ画像信号から原稿Ｐの各面Ｆ１，Ｆ２に対応する第１及び第２画像としての各画像データＤＡ１，ＤＢ１を生成する前段画像処理と、生成された各画像データＤＡ１，ＤＢ１を調整して出力画像を生成する後段画像処理とが、この順番で実行される。詳述すると、画像生成部３４は、前段画像処理を行う前段画像処理部３４１と、後段画像処理を行う後段画像処理部（図示略）とを備える。前段画像処理部３４１は、前段画像処理として、傾きの調整されていない原稿Ｐの各画像データＤＡ１，ＤＢ１を生成する。前段画像処理部３４１は、その処理の中で、信号の並び替え処理や、シェーディング補正の処理や、ガンマ補正の処理や、ライン間補正の処理や、その他必要とされる所定の画像処理を行う。後段画像処理部は、前段画像処理で生成された原稿Ｐの各画像データＤＡ１，ＤＢ１について原稿Ｐの傾き及びサイズをそれぞれ検出するとともに、各検出した傾きをそれぞれ適切に調整することで各出力画像を生成する。そして、生成された各出力画像が出力部３５へ出力される。
【００３１】
ところで、本実施形態では、原稿Ｐの両面が読み取られるため、原稿Ｐの読み取り速度を片面読み取りの場合と同じ速度に設定すると、片面読み取りの場合に比較して、画像生成部３４は２倍の速度で画像処理を行わなければならない。逆に言えば、画像生成部３４の画像処理の速度が、両面の読み取りのときでも片面読み取りのときと同じ速度であれば、両面の読み取りのとき原稿Ｐが搬送される速度は片面読み取り時の速度の約半分になる。そのため、原稿Ｐの両面を読み取るときには、画像生成部３４における画像処理に関する速度の向上が求められている。
【００３２】
図４に示すように、画像生成部３４は、第１生成部としての画像処理回路４１と、第２生成部としての画像処理回路５１と、算出部としての角度・サイズ検出回路４２と、２つのメモリー３４２，３４３とを後段画像処理部に含む。２つの画像処理回路４１，５１は、それぞれ前段画像処理部３４１にデータ入力可能に接続される。角度・サイズ検出回路４２は、２つの画像処理回路４１，５１にデータ入力可能に接続される。メモリー３４２は、２つの画像処理回路４１，５１に対して読み書き可能に接続される。メモリー３４３は、角度・サイズ検出回路４２に対して読み書き可能に接続される。
【００３３】
各メモリー３４２，３４３は、ＲＡＭなどの一時記憶装置であって、ＳＲＡＭ（スタティックランダムアクセスメモリー）やＳＤＲＡＭ（シンクロナスダイナミックランダムアクセスメモリー）などの半導体記憶素子からなる。各メモリー３４２，３４３は、それぞれ別々のメモリーであっても、同じメモリーのうちの一部領域であってもよい。
【００３４】
各画像処理回路４１，５１はそれぞれ、前段画像処理部３４１から２つの画像データＤＡ１，ＤＢ１のうちの少なくとも一方の入力が可能に構成されている。各画像処理回路４１，５１は、入力した画像データＤＡ１，ＤＢ１のデータ量を減らした、つまりデータ密度を低下させた第１又は第２検査画像ＤＡ２，ＤＢ２を生成して出力する。本実施形態では、画像処理回路５１は、電力供給の入り切りが可能に構成されている点以外において、画像処理回路４１と同様の構成を有していることから、以下では、画像処理回路４１について詳細に説明を行い、説明の便宜上、画像処理回路５１についての詳細は割愛する。
【００３５】
画像処理回路４１は、入力された画像データＤＡ１，ＤＢ１のデータ量を減らした検査画像ＤＡ２，ＤＢ２を生成して出力する。画像処理回路４１は、画像データＤＡ１，ＤＢ１のデータ量を、数％から数十分の１、もしくは数百分の１まで減らすように構成されている。例えば、画像処理回路４１は、画像データＤＡ１，ＤＢ１における各画素の解像度を低下させることでデータ量を低下させてもよい。例えば、各画素の解像度を１６ビットから、８ビットや４ビット、２ビット、１ビットに低下させてもよい。また、画像処理回路４１は、画像データＤＡ１，ＤＢ１に対し画素を間引きすることで解像度を低下させてもよい。例えば、２×２などの互いに隣接する所定数の画素のうち一番色の濃い１つの画素を代表画素として選択し、代表画素以外の他の画素を間引くことでデータ密度を低下させてもよい。すなわち、解像度を低下させること及び画素を間引くことの少なくとも一方によりデータ量を低下させることができる。このように、画像データＤＡ１，ＤＢ１よりも解像度の低い検査画像ＤＡ２，ＤＢ２によれば、これらの演算処理に要する計算負荷やメモリー容量の削減が図られるようになる。なお、画像処理回路４１は、カスタムＩＣやＰＬＤ等の論理回路を用いて専用回路として設計されており、高い処理能力が確保されている。
【００３６】
角度・サイズ検出回路４２は、検査画像ＤＡ２，ＤＢ２を１つの画像ずつ入力し、入力した１つの検査画像ＤＡ２，ＤＢ２についてその傾きを検出する。角度・サイズ検出回路４２は、三角関数などを用いた演算を繰り返すことで検査画像ＤＡ２，ＤＢ２を少しだけ回転させる処理を行い、こうして回転処理させた検査画像ＤＡ２，ＤＢ２に基づいて原稿Ｐの傾きを検出する。原稿Ｐの傾きは公知の方法により検出され、例えば、原稿Ｐの傾きθは、原稿Ｐの色のある画素の分布の態様から算出することなどができる。ここで検出する傾きは、原稿Ｐを読み取り時に生じる傾きであって、２５°以下の角度とする。また、角度・サイズ検出回路４２は、検査画像ＤＡ２，ＤＢ２の各画素の位置の分布から原稿Ｐのサイズの大きさを検出する。原稿Ｐのサイズも公知の方法により検出される。
【００３７】
ところで、角度・サイズ検出回路４２は、検査画像ＤＡ２，ＤＢ２を回転させる演算において、演算対象とする画素の数が少ないほど計算負荷が低下し、演算に要する時間が短くなる。また、原稿Ｐの角度やサイズの検出には、原稿Ｐの画像内容の識別は必要ないため、それほど高い解像度は必要とされない。そこで、検査画像ＤＡ２，ＤＢ２の解像度を低下させて、計算対象となるデータ量を大きく減らすことができる。なお、角度・サイズ検出回路４２は、カスタムＩＣやＰＬＤ等の論理回路を用いて三角関数などの処理が可能な専用回路として設計されており、高い処理能力が確保されている。その一方、角度・サイズ検出回路４２は、高速な関数処理を可能にすることなどから回路規模が大きくなり、これを複数備えるとなると、コスト負荷や消費電力の増加が避けられない。
【００３８】
そして、角度・サイズ検出回路４２は、検出した原稿Ｐの傾き及びサイズの検出結果ＤＡ３，ＤＢ３を出力し、この出力した検出結果ＤＡ３，ＤＢ３が後段画像処理部での処理に利用される。つまり、画像生成部３４は、後段画像処理部において、入力した画像データＤＡ１，ＤＢ１の傾きやサイズを、検出結果ＤＡ３，ＤＢ３の傾きやサイズに応じて調整し、この調整した画像データＤＡ１，ＤＢ１を出力画像として出力する。
【００３９】
本実施形態では、画像生成部３４は、画像処理回路４１と角度・サイズ検出回路４２との組合せを第１回路グループ４０とし、画像処理回路５１と角度・サイズ検出回路４２との組合せを第２回路グループ５０とする。また、画像生成部３４は、第１及び第２回路グループ４０，５０を両方利用する第１処理モードと、第１回路グループ４０のみを利用する第２処理モードとの２つの処理モードを備える。
【００４０】
第１処理モードでは、第１面Ｆ１に対応する画像データＤＡ１が第１回路グループ４０により処理され、第２面Ｆ２に対応する画像データＤＢ１が第２回路グループ５０により処理される。
【００４１】
第２処理モードでは、２つの画像データＤＡ１，ＤＢ１がいずれも第１回路グループ４０により処理される一方、第２回路グループ５０は処理に使用されない。そして第２処理モードでは、使用されない画像処理回路５１には電力が供給されない。つまり、画像処理回路５１は、その使用と不使用が切り替え可能に構成されている。なお、角度・サイズ検出回路４２は、第１及び第２処理モードであれ共用されることとなり、検査画像を１つずつ順次処理する。
【００４２】
図４及び図５を参照して、本実施形態の画像読取装置１０の動作について説明する。
画像読取装置１０は、原稿Ｐの読み取りモードとして、読み取り速度を優先する高速読み取りモードや、電力消費を抑える省電力モード、速度を抑制して稼働音を抑える静音モードなどを備える。そして、本実施形態では、選択される読み取りモードが高速読み取りモードであるとき、画像生成部３４は第１処理モードを選択し、省電力モードや静音モードであるとき、画像生成部３４は第２処理モードを選択するように構成されている。なお、原稿Ｐの読み取りモードと画像生成部３４が選択する第１又は第２処理モードとの組合せは、上述の組み合わせに限られるものではなく、原稿Ｐの読み取りモードに適した処理モードを画像生成部３４が選択するように、画像生成部３４は構成されている。
【００４３】
図４には、画像生成部３４が第２処理モードで動作する例が示されている。画像生成部３４は、画像読取装置１０の読み取りモードが省電力モード又は静粛モードであることに応じて第２処理モードを選択し、前段画像処理部３４１から原稿Ｐの両面の各画像データＤＡ１，ＤＢ１が順次、第１回路グループ４０に入力される。すなわち、画像処理回路４１は、まず第１面Ｆ１の画像データＤＡ１を入力してデータ量を減らした検査画像ＤＡ２を生成し、角度・サイズ検出回路４２へ出力する。続いて、画像処理回路４１は、第２面Ｆ２の画像データＤＢ１を入力してデータ量を減らした検査画像ＤＢ２を生成し、角度・サイズ検出回路４２へ出力する。第２処理モードでは、画像処理回路５１には電力が供給されないことから、第１処理モードに比較して消費電力を抑えることができる。
【００４４】
また、角度・サイズ検出回路４２は、先に入力した原稿Ｐの第１面Ｆ１に対応する検査画像ＤＡ２について角度及びサイズを検出し、その検出した結果を検出結果ＤＡ３として出力する。続いて、角度・サイズ検出回路４２は、次に入力した原稿Ｐの第２面Ｆ２に対応する検査画像ＤＢ２について角度及びサイズを検出し、その検出した結果を検出結果ＤＢ３として出力する。そして、この検出結果ＤＡ３，ＤＢ３が後段画像処理で用いられるようになる。
【００４５】
図５には、画像生成部３４が第１処理モードで動作する例が示されている。画像生成部３４は、画像読取装置１０の読み取りモードが高速読み取りモードであることに応じて第１処理モードを選択する。そして、画像生成部３４では、前段画像処理部３４１から原稿Ｐの第１面Ｆ１の画像データＤＡ１が第１回路グループ４０に入力され、原稿Ｐの第２面Ｆ２の画像データＤＢ１が第２回路グループ５０に入力される。そして、画像処理回路４１では画像データＤＡ１のデータ量を減らした検査画像ＤＡ２が生成され、画像処理回路５１では画像データＤＢ１のデータ量を減らした検査画像ＤＢ２が生成される。ここで、２つの画像処理回路４１，５１はそれぞれ別回路であるため、２つの検査画像ＤＡ２，ＤＢ２の生成を時間的に並列して行うことができる。よって、第１処理モードでは、２つの検査画像ＤＡ２，ＤＢ２の生成に要する時間を、第２処理モードで要する時間に比べ、最大で半分程度まで短縮することができるようになる。
【００４６】
そして、２つの画像処理回路４１，５１はそれぞれ、各生成した検査画像ＤＡ２，ＤＢ２を角度・サイズ検出回路４２へ出力する。角度・サイズ検出回路４２は共用であるため、２つの画像処理回路４１，５１は、角度・サイズ検出回路４２が他方の検査画像を処理中であるとき、自身の検査画像の出力を待機させる。ここで、角度・サイズ検出回路４２における１つの検査画像に対する処理時間は、画像処理回路４１，５１における１つの検査画像の生成に要する時間よりも短いものとする。すると、一方の画像処理回路４１，５１が検査画像の出力を待機させられたとしても、２つの検出結果ＤＡ３，ＤＢ３が得られるまでに要する時間は、一つの画像処理回路が２つの検査画像ＤＡ２，ＤＢ２を順次生成する場合に要する時間に比べて短くなる。すなわち、２つの検出結果ＤＡ３，ＤＢ３を得るまでに要する時間を短くし、高速での処理を可能にすることができるようになる。
【００４７】
そして、この検出結果ＤＡ３，ＤＢ３が後段画像処理で用いられるようになる。
本実施形態によれば、原稿両面の画像を読み取る際、読み取りモードに適した態様で原稿の両面のそれぞれの傾き等を検出することができるようになる。
【００４８】
上記実施形態によれば、以下に記載するような効果を得ることができる。
（１）原稿Ｐの両面の傾きやサイズの検出を１つの回路で算出しようとすれば時間を要し、一方、２つの回路で算出しようとすれば、消費電力やコストが増加するおそれがある。そこで、本実施形態では、検査画像を生成する画像処理回路を２つ設ける一方、検査画像から原稿の傾きやサイズを算出する角度・サイズ検出回路４２を１つ設ける。これにより、第１及び第２検査画像ＤＡ２，ＤＢ２の生成に要する時間の短縮が図られるとともに、電力消費やコストの増加も抑制が図られる。また、画像読取装置１０としても、近年は、画像の読み取りに様々なモードが設けられるところ、原稿Ｐの両面の画像を読み取るとき、その読み取りに適した態様で読み取った原稿Ｐの両面についてそれぞれ傾きやサイズを検出することができるようになる。
【００４９】
（２）第２処理モードでは、検査画像ＤＡ２，ＤＢ２の生成を画像処理回路４１に集約させることができるようになる。よって、読み取りモードに適した態様で電力消費のより一層の低減を図ることができるようになる。
【００５０】
（３）データ密度を減らすこと、いわゆる、画像の解像度を低下させることにより検査画像ＤＡ２，ＤＢ２のデータ量が減らされる。これにより、角度・サイズ検出回路４２での算出負荷の低減、処理時間の短縮が図られるようになる。
【００５１】
（４）角度・サイズ検出回路４２では、傾きの算出には三角関数などの複数の関数処理が必要とされるが、カスタムＩＣやＰＬＤなどにおける論理回路として構成されることで、プログラム処理などよりも高速な処理ができるようになる。これにより、角度・サイズ検出回路４２を要因として読み取り速度が規制されるおそれが低減されるようになる。
【００５２】
（５）２つの画像処理回路４１，５１はいずれも、カスタムＩＣやＰＬＤなどにおける論理回路として構成されることで、プログラム処理などよりも高速に信号を処理することができる。これにより、各画像処理回路４１，５１を要因として読み取り速度が規制されるおそれが低減される。
【００５３】
（第２の実施形態）
図６〜８を参照して、画像読取装置を具体化した第２の実施形態について説明する。なお、本実施形態は、角度・サイズ検出回路が２つ設けられている点が第１の実施形態と相違する。第１の実施形態と同様の構成については、同一の符号を付し、必要がある場合を除き、説明の便宜上、その詳細な説明を割愛する。
【００５４】
図６に示すように、画像生成部３４は、２つの画像処理回路４１，５１と、第１算出部としての角度・サイズ検出回路４２と、第２算出部としての角度・サイズ検出回路５２と、２つのメモリー３４２，３４３とを後段画像処理部に含む。角度・サイズ検出回路５２は、角度・サイズ検出回路４２と略同様の構成を有している。画像処理回路４１は、生成した検査画像ＤＡ２を角度・サイズ検出回路４２へ出力可能になっている。一方、画像処理回路５１は、生成した検査画像ＤＢ２を２つの角度・サイズ検出回路４２，５２のいずれか一方を選択して出力することが可能になっている。つまり、角度・サイズ検出回路４２は、２つの検査画像ＤＡ２，ＤＢ２の少なくとも一方を入力し、入力した検査画像に対して角度とサイズとを検出することができる。一方、角度・サイズ検出回路５２は、第２面Ｆ２に対応する検査画像ＤＢ２を入力し、入力した検査画像ＤＢ２に対して角度とサイズとを検出することができる。メモリー３４２は、２つの画像処理回路４１，５１に対して読み書き可能に接続されている。メモリー３４３は、２つの角度・サイズ検出回路４２，５２に対して読み書き可能に接続されている。また、画像処理回路５１と角度・サイズ検出回路５２とは、それぞれ電力供給の入り切りが可能に構成されている。
【００５５】
第１の実施形態と同様に、画像生成部３４は、画像処理回路４１と角度・サイズ検出回路４２との組合せを第１回路グループ４０とし、画像処理回路５１と角度・サイズ検出回路４２との組合せを第２回路グループ５０とする。加えて、本実施形態では、画像生成部３４は、画像処理回路５１と角度・サイズ検出回路５２との組合せを第３回路グループ６０とする。
【００５６】
また、第１の実施形態と同様に、画像生成部３４は、第１及び第２回路グループ４０，５０を共に利用する第１処理モードと、第１回路グループ４０のみを利用する第２処理モードを備える。加えて、本実施形態では、画像生成部３４は、第１及び第３回路グループ４０，６０を共に利用する第３処理モードを備え、全部で３つの処理モードの中から１つの処理モードを読み取りモードに応じて選択するように構成されている。
【００５７】
第１処理モードでは、第１面Ｆ１に対応する画像データＤＡ１が第１回路グループ４０により処理され、第２面Ｆ２に対応する画像データＤＢ１が第２回路グループ５０により処理される。第１処理モードのとき、使用されない第３回路グループ６０にのみ含まれる角度・サイズ検出回路５２には電力を供給しない。これにより、第１処理モードを、第２処理モードよりも高い処理能力を有するモードとすることができるとともに、第３処理モードよりも消費電力が抑えられたモードとすることができる。なお、第１処理モードでは、角度・サイズ検出回路に関して、１つの角度・サイズ検出回路４２のみが用いられる第２の算出モードとなる。
【００５８】
第２処理モードでは、両面の画像データＤＡ１，ＤＢ１がいずれも第１回路グループ４０により処理される一方、第２及び第３回路グループ５０，６０は処理に使用されない。第２処理モードのとき、使用されない第２及び第３回路グループ５０，６０にのみ含まれる画像処理回路５１及び角度・サイズ検出回路５２には電力を供給しない。つまり、画像処理回路５１が使用されないとき、角度・サイズ検出回路５２も使用されない。これにより、第２処理モードを、第１及び第３処理モードよりも消費電力が抑えられたモードとすることができる。なお、第２処理モードでは、角度・サイズ検出回路に関して、１つの角度・サイズ検出回路４２のみが用いられる第２の算出モードとなる。
【００５９】
第３処理モードでは、第１面Ｆ１に対応する画像データＤＡ１が第１回路グループ４０により処理され、第２面Ｆ２に対応する画像データＤＢ１が第３回路グループ６０により処理される一方、第２回路グループ５０は処理に使用されない。第３処理モードのとき、使用されない第２回路グループ５０の画像処理回路５１及び角度・サイズ検出回路４２はいずれも第１回路グループ４０又は第３回路グループに含まれていることから、２つの画像処理回路４１，５１及び２つの角度・サイズ検出回路４２，５２には電力が供給される。つまり、画像処理回路５１が使用されるとき、角度・サイズ検出回路５２も使用される。そして、２つの画像データＤＡ１，ＤＢ１のそれぞれの角度及びサイズの検査結果ＤＡ３，ＤＢ３が第１及び第３回路グループ４０，６０により並列処理される態様で検出される。これにより、第３処理モードを、第１及び第２処理モードよりも高い処理能力を有するモードとすることができる。なお、第３処理モードでは、角度・サイズ検出回路に関して、２つの角度・サイズ検出回路４２，５２が用いられる第１の算出モードとなる。
【００６０】
図６〜８を参照して、本実施形態の画像読取装置１０の動作について説明する。
画像読取装置１０は、第１の実施形態と同様に、原稿Ｐの読み取りモードとして、高速読み取りモードや、省電力モードや、静音モードなどを備える。そして、本実施形態では、選択される読み取りモードが高速読取モードであるとき、画像生成部３４では第３処理モードが選択され、静音モードであるとき、画像生成部３４では第２処理モードが選択され、省電力モードであるとき、画像生成部３４では第１処理モードが選択されるようにしている。なお、原稿Ｐの読み取りモードと画像生成部３４で選択される第１〜第３処理モードとの組合せは、上述の組み合わせに限られるものではなく、原稿Ｐの読み取りモードに適した処理モードを選択するようにすることができる。
【００６１】
図６には、画像生成部３４が第３処理モードで動作する例が示されている。画像生成部３４は、画像読取装置１０の読み取りモードが高速読み取りモードであることに応じて第３処理モードを選択する。そして、画像生成部３４は、前段画像処理部３４１から原稿Ｐの第１面Ｆ１の画像データＤＡ１を第１回路グループ４０に入力させて角度・サイズの検出結果ＤＡ３を出力する。また、画像生成部３４は、前段画像処理部３４１から原稿Ｐの第２面Ｆ２の画像データＤＢ１を第３回路グループ６０に入力させて角度・サイズの検出結果ＤＢ３を出力する。このとき、第１及び第３回路グループ４０，６０は、各画像処理回路４１，５１及び各角度・サイズ検出回路４２，５２を共有しない構成であることから、各検査画像ＤＡ２，ＤＢ２の生成及び各検出結果ＤＡ３，ＤＢ３の生成を時間的に並列に行うことができる。これにより、第３処理モードでは、両面の画像データＤＡ１，ＤＢ１から検査結果ＤＡ３，ＤＢ３の生成に要する時間を、第１及び第２処理モードで生成に要する時間に比べ、短くすることができるようになる。そして、この検出結果ＤＡ３，ＤＢ３が後段画像処理で用いられるようになる。
【００６２】
図７には、画像生成部３４が第１処理モードで動作する例が示されている。画像生成部３４は、画像読取装置１０の読み取りモードが静音モードであることに応じて第１処理モードを選択する。そして、第１の実施形態と同様に、画像生成部３４では、前段画像処理部３４１から原稿Ｐの第１面Ｆ１の画像データＤＡ１が第１回路グループ４０に入力されて角度・サイズの検出結果ＤＡ３が出力される。また、画像生成部３４では、前段画像処理部３４１から原稿Ｐの第２面Ｆ２の画像データＤＢ１が第２回路グループ５０に入力されて角度・サイズの検出結果ＤＢ３が出力される。これにより、第１の処理モードでは、第３処理モードに比較して消費電力を抑えることができるとともに、検出結果ＤＡ３，ＤＢ３を得るために要する時間を、第２の処理モードでそれらを得ることに要する時間に比べ、最大で半分程度まで短縮することができるようになる。そして、この検出結果ＤＡ３，ＤＢ３が後段画像処理で用いられるようになる。
【００６３】
図８には、画像生成部３４が第２処理モードで動作する例が示されている。画像生成部３４は、画像読取装置１０の読み取りモードが省電力モードであることに応じて第２処理モードを選択する。そして、第１の実施形態と同様に、画像生成部３４は、前段画像処理部３４１から原稿Ｐの両面の各画像データＤＡ１，ＤＢ１をそれぞれ第１回路グループ４０に入力させて角度・サイズの各検出結果ＤＡ３，ＤＢ３を出力する。第２処理モードでは、第１及び第３処理モードに比較して消費電力を抑えることができる。特に、第３処理モードに比較して、通電されている回路の規模が半分程度まで減らされるため、電力消費の抑制効果としてもより高くなる。そして、この検出結果ＤＡ３，ＤＢ３が後段画像処理で用いられるようになる。
【００６４】
上記実施形態によれば、第１の実施形態により得られる効果に加え、以下のような効果を得ることができる。
（６）２つの画像処理回路４１，５１と２つの角度・サイズ検出回路４２，５２とからなる構成を、画像読取装置の読み取りモードに適した態様で利用することができるようになる。第３処理モードでは、２つの角度・サイズ検出回路４２，５２によりそれぞれの原稿Ｐの傾きなどの算出が並列処理されることで２つの処理が高速に行われることから、例えば、高速読取りモードなどに対応できる。また、第１や第２処理モードでは、原稿Ｐの傾き等の算出を角度・サイズ検出回路４２のみに行わせ、角度・サイズ検出回路５２へは電力を供給しないことで電力消費を低減させることから、例えば、電力消費が抑えられる省電力モードなどに対応できる。
【００６５】
（７）画像処理回路５１が使用されるか否かに応じて、第１の算出モード（２つの角度・サイズ検出回路４２，５２を使用する）と、第２の算出モード（１つの角度・サイズ検出回路４２のみを使用する）とが併せて切り替えられる。つまり、第３処理モードと第２処理モードとが切り替えられることで、画像処理回路５１を使用するときには処理が一層高速化されるようになる。一方、画像処理回路５１を使用しないときには消費電力が一層低減されるようになる。
【００６６】
（８）角度・サイズ検出回路５２では、傾きの算出には三角関数などの複数の関数処理が必要とされるが、カスタムＩＣやＰＬＤなどにおける論理回路として構成されることで、プログラム処理などよりも高速な処理ができるようになる。これにより、角度・サイズ検出回路５２を要因として読み取り速度が規制されるおそれが低減されるようになる。
【００６７】
（変形例）
なお、上記各実施形態は以下のように変更してもよい。
・上記各実施形態では、各画像処理回路４１，５１はそれぞれ、カスタムＩＣやＰＬＤなどにおける論理回路として構成される場合について例示した。しかし、これに限らず、必要な処理速度が確保できるようであれば、画像処理回路は、演算装置によるプログラム処理などにより構成されるものであってもよい。
【００６８】
・上記各実施形態では、各角度・サイズ検出回路４２，５２はそれぞれ、カスタムＩＣやＰＬＤなどにおける論理回路として構成される場合について例示した。しかし、これに限らず、必要な処理速度が確保できるようであれば、角度・サイズ検出回路は、演算装置によるプログラム処理などにより構成されるものであってもよい。
【００６９】
・上記第２の実施形態では、画像生成部３４が第１〜第３処理モードの中の１つの処理モードを他の処理モードに切り替える構成について例示した。しかしこれに限らず、処理モードとして、画像生成部３４が第１処理モードと第３処理モードとを切り替えるようにしてもよいし、第２処理モードと第３処理モードとを切り替えるようにしてもよい。例えば、第２処理モードが選択されるとき、これを第１又は第３処理モードの選択に代えてもよいし、第１処理モードが選択されるとき、これを第３処理モードの選択に代えてもようにしてもよい。これにより、少なくとも、読み取り速度に対する規制を軽減させることができる。
【００７０】
・上記各実施形態では、解像度を低下させること、及び画素を間引くことの少なくとも一方により解像度を低下させる場合について例示した。しかしこれに限らず、原稿に対応するデータ量を減少させることができるのであれば、そのデータ密度はどのように低下させてもよい。
【００７１】
・上記第１の実施形態では、画像処理回路４１，５１を並列化する場合について例示した。また、上記第２の実施形態では、角度・サイズ検出回路４２，５２を並列化する場合について例示した。しかしこれに限らず、原稿の両面の各画像に行われる同種の画像処理等であれば、画像処理回路や角度・サイズ検出回路以外の処理であっても、その処理を並列化してもよい。処理を並列化するとき、他の処理に比べて処理時間が長い処理を並列化することによって、画像生成部全体としての処理時間を短くする効果がより高く得られるようになる。こうした処理時間の短縮化により、画像読取装置の高パフォーマンス化、読み取りモードの最適化が図られるようになる。
【００７２】
・上記第２の実施形態では、第１処理モードのとき、角度・サイズ検出回路４２を使用し、角度・サイズ検出回路５２を使用しない場合について例示したが、これに限らず、第１処理モードのとき、２つの角度・サイズ検出回路の使用／不使用を入れ替えてもよい。
【００７３】
・上記各実施形態では、第２処理モードのとき、画像処理回路４１を使用し、画像処理回路５１を使用しない場合について例示したが、これに限らず、第２処理モードのとき、２つの画像処理回路の使用／不使用を入れ替えてもよい。
【００７４】
・上記第１の実施形態では、第１処理モードと第２処理モードとを切り替えることができる場合について例示した。しかしこれに限らず、処理モードとして、第１処理モードのみを選択するようにしてもよい。例えば、処理モードとして、第２処理モードを利用できるときに第１処理モードを利用するようにしてもよい。少なくとも第１処理モードによれば、読み取り速度に対する規制を軽減させることができる。
【００７５】
・上記各実施形態では、原稿の傾き及びサイズを算出する場合について例示した。しかしこれに限らず、原稿の傾き及び大きさの一方のみが算出されてもよい。
・上記各実施形態において、単色読み取りである場合について例示したが、カラー読み取りであってもよい。
【００７６】
・上記各実施形態において、画像読取装置は、プリンターなどの記録装置に搭載された複合機や複写装置としてもよい。また、画像読取装置は、原稿搬送部とともに、フラットベッド型の機構を備えていてもよい。
【００７７】
・上記各実施形態において、原稿Ｐの両面の画像を読み取る場合について例示したが、これに限らず、読取部により読み取ることができる対象物について、その対象物の画像を複数の方向から読み取るようになっていてもよい。
【符号の説明】
【００７８】
１０…画像読取装置、１５…操作部、２２Ａ…第１の読取部、２２Ｂ…第２の読取部、２７…モーター、２８Ａ，２８Ｂ…光源、２９Ａ，２９Ｂ…受光部、３１…制御部、３２…読取制御部、３３Ａ…第１のＡＦＥ、３３Ｂ…第２のＡＦＥ、３４…画像生成部、３５…出力部、３６…ホスト装置、３７…タイマー、３８…モーター制御部、４０…第１回路グループ、４１…画像処理回路、４２…角度・サイズ検出回路、５０…第２回路グループ、５１…画像処理回路、５２…角度・サイズ検出回路、６０…第３回路グループ、３４１…前段画像処理部、３４２，３４３…メモリー、Ｐ…原稿、Ｆ１…第１面、Ｆ２…第２面、ＤＡ１…画像データ、ＤＡ２…第１検査画像、ＤＢ１…画像データ、ＤＢ２…第２検査画像、Ｄｍａｘ…画像処理領域。
【図１】
2016163093.tif 000003
【図２】
2016163093.tif 000004
【図３】
2016163093.tif 000005
【図４】
2016163093.tif 000006
【図５】
2016163093.tif 000007
【図６】
2016163093.tif 000008
【図７】
2016163093.tif 000009
【図８】
2016163093.tif 000010